(57)【要約】【課題】広告物の取付け状態を維持するのに必要な抜け止め抵抗が得られると共に、広告物の取付け及び交換が簡単且つ迅速に行える広告物保持具を提供する。【解決手段】広告物保持具１，１を連結したまま略直角に折り曲げて自動販売機Ａの上側角部外面に固定又は広告物保持具１，１を分離して自動販売機Ａ前面（及び展示部Ａｃ内部）に固定する。広告物Ｂの左右端部を、広告物Ｂの横幅と略対応する間隔に隔てて固定した広告物保持具１を構成する保持具本体２及び係止部３の間に差込み、係止部３の突起３ａを、広告物Ｂの孔部Ｂａに係止固定して、平面的広告物Ｂを自動販売機Ａ前面（及び展示部Ａｃ内部）に取付ける。【選択図】  図４
2004192095.tif 000002
【特許請求の範囲】
【請求項１】
広告物を自動販売機の視認可能な部分に取付ける広告物保持具であって、
上記広告物端部に係止される係止部を、上記自動販売機に固定される保持具本体に形成し、
上記広告物端部の表面と対向する係止部及び該広告物端部の裏面と対向する保持具本体の間を、該広告物端部が差込み許容される間隔に離間し、
上記広告物及び係止部の対向面に、互いに係止される凹部及び凸部を設けた
広告物保持具。
【請求項２】
上記自動販売機の角部をなす一方の外面に固定される保持具本体及び該角部をなす他方の外面に固定される保持具本体を、該角部と略対応する角度に折り曲げ可能に連結して構成した
請求項１記載の広告物保持具。
【請求項３】
上記広告物保持具を、略同一形状を有する保持具本体を分離可能に複数連結して構成した
請求項１記載の広告物保持具。
【請求項４】
上記保持具本体を自動販売機に固定する固定手段を、該保持具本体及び自動販売機の対向部分に設けた
請求項１，２又は３記載の広告物保持具。
【請求項５】
上記広告物を、上記商品に関する広告情報が印刷した平面的広告物及び又該商品と略酷似する外観形状に形成した立体的広告物で構成した
請求項１記載の広告物保持具。
【発明の詳細な説明】
【０００１】
【発明の属する技術分野】
この発明は、例えば自動販売機が販売する様々な商品の販売促進及び宣伝に用いられる広告物を、自動販売機に取付けるために広告物保持具に関する。
【０００２】
【従来の技術】
従来、上述の広告物を自動販売機に取付ける方法としては、例えば自動販売機を構成する販売機本体の前面側両側部に固定した取付け具の係合突部を、宣伝広告用プレートの両端部に形成した係合孔に対して強制的に差込み、宣伝広告用プレートを購入者が視認可能な位置に取付ける特許文献１の自動販売機における宣伝広告用プレートの取付け構造がある。また、広告が印刷されたポスターを、自動販売機を構成する販売機本体の外扉上部前面に貼着したコルク板に対して画鋲で固定し、ポスター及びコルク板の前面を、外扉に対して開閉自在に取付けた透明カバーで覆って保護する特許文献２の自動販売機の広告装置がある。
【０００３】
【特許文献１】
実用新案登録第３０７５７１７号公報。
【０００４】
【特許文献２】
特開平８−１７１６７０号公報。
【０００５】
【発明が解決しようとする課題】
しかし、上述の特許文献１の取付け構造は、取付け時において、宣伝広告用プレートの係合孔を係合突部の膨大部により径方向に拡張するので、係合孔及び膨大部の接触抵抗が小さく、膨大部以外に抜け止め手段が設けられていないため、係合孔及び係合突部の相互が抜き取られる方向に対して何等かの力が宣伝広告用プレート自体に付与されとき、宣伝広告用プレートが取付け具から脱落しやすく、取付け状態を維持することができない。
【０００６】
一方、特許文献２の広告装置は、ポスターを掲示及び交換するとき、透明カバーを開閉操作及び画鋲を抜差し交換しなければならず、作業に手間及び時間が掛かる。透明カバーを外扉に対して開閉自在に取付けるので、ポスターの掲示位置を自由に変更することが難しく、外扉の一部を改造する必要があるため、改造費が高くなるという問題点を有している。また、ポスターを自動販売機に対して直接貼着する場合、ポスターを交換するたびに、その貼着跡を取り除くための作業を毎回行わなければならず、例えば粘着テープや粘着剤等を毎回使用するため、経費が高くなるという問題点を有している。
【０００７】
この発明は上記問題に鑑み、広告物端部を保持具本体及び係止部の間に差込んで凹部及び凸部を互いに係止することにより、広告物の取付け状態を維持するのに必要な抜け止め抵抗が得られると共に、広告物の取付け及び交換が簡単且つ迅速に行える広告物保持具の提供を目的とする。
【０００８】
【課題を解決するための手段】
この発明は、広告物を自動販売機の視認可能な部分に取付ける広告物保持具であって、上記広告物端部に係止される係止部を、上記自動販売機に固定される保持具本体に形成し、上記広告物端部の表面と対向する係止部及び該広告物端部の裏面と対向する保持具本体の間を、該広告物端部が差込み許容される間隔に離間し、上記広告物及び係止部の対向面に、互いに係止される凹部及び凸部を設けた広告物保持具であることを特徴とする。
【０００９】
上述の広告物は、例えば商品に関する広告情報が印刷されたシート状のラベルやポスター、チラシ、プレート状のパネル等の平面的広告物、缶型容器や瓶型容器、ボトル型容器（ペットボトル）等の商品と略酷似するダミー形状の立体的広告物或いはその他の販促物で構成される。且つ、広告物は、例えば可撓性及び復元性を有するプラスチックで形成され、広告物保持具は、例えばプラスチックやセラミックス、金属、木、ガラス等の材質で形成される。また、凹部は、例えば孔部や窪み部、段部等で構成され、凸部は、例えば突起や突出部、ピン、爪部等で構成される。
【００１０】
つまり、１組の広告物保持具を、広告物のサイズ（例えば横幅）と略対応する間隔に隔てて自動販売機前面（及び展示部内部）に固定する。平面的及び立体的な広告物の両端部を、広告物保持具を構成する保持具本体及び係止部の間に差込み、広告物及び係止部の対向面に形成した凹部及び凸部を互いに係止すると共に、凹部及び凸部の係止状態が維持される方向に保持具本体及び係止部で挟持して、広告物を自動販売機前面又は上面、展示部内部に取付ける。且つ、広告物を交換する場合、凹部及び凸部の係止を解除して、広告物の両端部を、広告物保持具を構成する保持具本体及び係止部の間から抜取り取り外す。
【００１１】
実施の形態として、上記自動販売機の角部をなす一方の外面に固定される保持具本体及び該角部をなす他方の外面に固定される保持具本体を、該角部と略対応する角度に折り曲げ可能に連結して構成することができる。また、上記広告物保持具を、略同一形状を有する保持具本体を分離可能に複数連結して構成することができる。また、上記保持具本体を自動販売機に固定する固定手段（例えば両面粘着テープやマグネット、面ファスナー、ネジ部材、粘着剤、接着剤等）を、該保持具本体及び自動販売機の対向部分に設けることができる。また、上記広告物を、上記商品に関する広告情報が印刷した平面的広告物及び又該商品と略酷似する外観形状に形成した立体的広告物で構成することができる。
【００１２】
【作用及び効果】
この発明によれば、広告物端部を、広告物保持具を構成する保持具本体及び係止部の間に差込んで凹部及び凸部を係止すると共に、凹部及び凸部の係止状態が維持される方向に保持具本体及び係止部により挟持するので、広告物の取付け状態を確実に維持することができる。且つ、例えば両面粘着テープや接着剤等を使用する必要がなく、広告物の取付け及び交換が簡単且つ迅速に行え、広告物の取付け時に要する経費の削減及び作業時間の短縮を図ることができる。且つ、広告物の取付け跡が自動販売機に残ったりせず、広告物の交換が何回も繰り返し行え、広告物保持具の取付け及び持ち運びが楽である。
【００１３】
【実施例】
この発明の一実施例を以下図面に基づいて詳述する。
【００１４】
図面は、広告物の一例であるシート状の平面的広告物を自動販売機Ａに取り付けるときに用いられる広告物保持具を示し、図１、図２、図３に於いて、この広告物保持具１は、自動販売機Ａを構成する販売機本体Ａａ及び扉部Ａｂに固定される平面から見て略矩形状の保持具本体２を、広告物Ｂの取付け状態を維持するのに必要な大きさ及び形状に形成している。また、保持具本体２を、例えば平面から見て略正方形状や略丸形状、略楕円形状等の所望形状に形成してもよい。
【００１５】
且つ、広告物Ｂの表面側端部と対向及び係止される係止部３を、保持具本体２の表面側中央部に形成した開口部２ａと対向して、広告物Ｂの裏面側端部と対向及び係止される保持具本体２の表面側後端部に形成した突出部２ｂに対して一体的に連設している。
【００１６】
且つ、広告物Ｂの左右端部に形成した孔部Ｂａに対して係止される突起３ａを、上述の開口部２ａ内部に向けて及び後述する広告物Ｂの表面側端部と対向して係止部３の裏面側中央部に突出形成し、その突起３ａの突出寸法を、保持具本体２の肉厚及び開口部２ａの深さよりも短尺に形成し、突起３ａの先端部を、広告物Ｂの端部が差込みガイドされる斜面形状に形成している。また、突起３ａの先端部を、広告物Ｂの差込み及び抜取りが容易に行える滑らかな曲面形状、例えば略半球形状や略楕円形状、略流線形状等に形成してもよい。
【００１７】
且つ、保持具本体２（及び開口部２ａを含む）と係止部３との対向縁部を、広告物Ｂの差込み及び抜取りが許容される間隔に離間し、保持具本体２及び係止部３の前端部（及び両端部）を、広告物Ｂの差込み及び抜取りがガイドされる形状、例えば斜面形状や曲面形状等に形成している。
【００１８】
且つ、対称形状を有する保持具本体２，２の対向端部を、手の引張り力で分離可能及び切断具で切断可能な肉厚に形成したヒンジ状の連結部４で一体的に連結して、２個の広告物保持具１を１組として連結している。また、連結部４の肉厚を薄くする代わりに、例えば切れ目やミシン目等を連結部４に形成してもよい。
【００１９】
且つ、広告物Ｂの取付け状態を保持するのに必要な粘着力を有する両面粘着テープ５を、保持具本体２の裏面側に貼着している。
【００２０】
前述の広告物Ｂは、図４にも示すように、透光性を有するプラスチックで透明又は半透明に形成され、上述の保持具本体２及び係止部３の対向面間に対して差込み及び抜取りが許容される厚みに形成すると共に、差込み許容される状態に可撓可能及び可撓前の扁平状態に復元する復元力（例えば広告物Ｂの孔部Ｂａ及び係止部３の突起３ａの係止状態を維持するのに必要な復元力）を有している。
【００２１】
且つ、自動販売機Ａが販売する商品の販売促進及び宣伝に効果を発揮する広告情報（例えば文字や模様、色彩、写真、その他の情報等）を、広告物Ｂの表面側又は裏面側に印刷している。また、広告物Ｂを構成するフィルム層の間に積層又は印刷してもよい。
【００２２】
且つ、保持具本体２の係止部３に形成した突起３ａが係止される孔部Ｂａを、広告物Ｂの左右端部の表面側中央部に形成している。また、孔部Ｂａを、例えば広告物Ｂの上下端部及び四隅端部に形成してもよい。或いは、広告物Ｂの左右端部及び上下端部、四隅端部に複数形成してもよい。
【００２３】
図示実施例は上記の如く構成するものにして、以下、上述の広告物保持具１による広告物Ｂの取付け方法を説明する。
【００２４】
先ず、広告物Ｂを、自動販売機Ａを構成する販売機本体Ａａ及び扉部Ａｂの上部前面に取り付ける場合、図１、図５にも示すように、２個１組の広告物保持具１を連結する連結部４を屈曲して、連結部４で連結された保持具本体２，２を、販売機本体Ａａ及び扉部Ａｂの上側角部外面と略対応する角度（略９０度）に折り曲げると共に、保持具本体２，２の対向側斜面部（テーパー面）を当接して略９０度に折り曲げた角度に規制する。且つ、保持具本体２，２に貼着された両面粘着テープ５の粘着面を覆っているシート又は紙を剥離する。
【００２５】
１組の広告物保持具１，１を連結したまま広告物Ｂの横幅と略対応する左右間隔に隔てて、自動販売機Ａを構成する販売機本体Ａａ及び扉部Ａｂの上側角部外面に２組固定する。つまり、一方の広告物保持具１を、保持具本体２に貼着した両面粘着テープ５の粘着力により販売機本体Ａａ及び扉部Ａｂの上側角部上面に貼着固定し、他方の広告物保持具１を、保持具本体２に貼着した両面粘着テープ５の粘着力により販売機本体Ａａ及び扉部Ａｂの上側角部前面に貼着固定するので、自動販売機Ａを改造する必要がない。
【００２６】
次に、図３、図４にも示すように、広告物Ｂの左側端部を可撓変形して、自動販売機Ａの左側上部前面に固定した広告物保持具１を構成する保持具本体２及び係止部３の間に差込み、係止部３の突起３ａを、広告物Ｂ左側端部の孔部Ｂａに係止すると共に、突起３ａ及び孔部Ｂａの係止状態が維持される方向に保持具本体２及び係止部３で挟持して、広告物Ｂの取付け状態を維持するのに必要な抜け止め抵抗を付与する。
【００２７】
上述と同様にして、広告物Ｂの右側端部を、自動販売機Ａの右側上部前面に固定した広告物保持具１を構成する保持具本体２及び係止部３の間に差込み、係止部３の突起３ａを、広告物Ｂ右側端部の孔部Ｂａに係止するので、広告物Ｂ自体の復元力により突起３ａ及び孔部Ｂａが抜け止め固定され、広告物Ｂを、図６に示す自動販売機Ａの前面に取付けることができる。
【００２８】
また、広告物Ｂを交換する場合、広告物Ｂの両端部を湾曲状態に変形しながら、広告物Ｂの孔部Ｂａを、係止部３の突起３ａから離脱させ、広告物保持具１を構成する保持具本体２及び係止部３の間から抜取り、先の広告物Ｂを取り外した後、別の広告物Ｂを、上述と同様にして自動販売機Ａ前面（及び展示部Ａｃ内部）に取付ける。
【００２９】
且つ、上述の広告物Ｂの代わりに、例えば図７に示す缶型や瓶型、ボトル型等の商品と略酷似する立体的広告部Ｂｂが一体的に形成された広告物Ｂを取り付けるか、平面から見て略コ字状の広告物Ｂを自動販売機Ａ上面に取り付けてもよい。略コ字状の広告物Ｂを取付ける場合、広告物Ｂの下端側縁部を、販売機本体Ａａ上面に固定した広告物保持具１を構成する保持具本体２及び係止部３の間に差込み、上述と略同様にして係止固定するので、略コ字状の広告物Ｂを、自動販売機Ａ上面に対して起立した状態に取付けることができる。なお、広告物Ｂの両端側縁部は、後方に折り曲げられて起立状態を支持する。
【００３０】
また、図８に示すように、広告物保持具１，１を連結する連結部４を手の引張り力で分離及び切断具で切断し、広告物保持具１，１を、広告物Ｂの横幅と略対応する左右間隔に隔てて自動販売機Ａの前面又は上面に固定（図７参照）した後、上述と略同様にして、広告物Ｂ端部を保持具本体２及び係止部３の間に差込み固定するので、広告物Ｂ（及び広告物Ｃ）を自動販売機Ａの前面及び上面に取付けることができる。且つ、広告物Ｂを、図６中の一点鎖線で示すように、販売機本体Ａａ及び扉部Ａｂに設けられた展示部Ａｃ内部に取り付けることもできる。
【００３１】
つまり、広告物保持具１，１を連結したまま固定する方法及び分離して固定する方法を、広告物Ｂ，Ｃの大きさ及び形状、取付け場所に応じて選択することができる。且つ、分離した場合、取付け数が少なくて済み、取付け費が安くなる。また、広告物保持具１，１を連結したまま自動販売機Ａの前面及び上面、展示部Ａｃ内部に取り付けてもよい。
【００３２】
以上のように、広告物Ｂの両端部を、自動販売機Ａの上側角部外面に固定した広告物保持具１，１を構成する保持具本体２及び係止部３の間に差込み、係止部３の突起３ａ及び広告物Ｂの孔部Ｂａを係止すると共に、突起３ａ及び孔部Ｂａの係止状態が維持される方向に保持具本体２及び係止部３により挟持するので、広告物Ｂの取付け状態を確実に維持することができる。且つ、例えば両面粘着テープや接着剤等を使用する必要がなく、広告物Ｂの取付け及び交換が簡単且つ迅速に行え、広告物Ｂの取付け時に要する経費の削減及び作業時間の短縮を図ることができる。且つ、広告物Ｂの取付け跡が自動販売機Ａに残ったりせず、広告物Ｂの交換が何回も繰り返し行え、広告物保持具１の取付け及び持ち運びが楽である。また、広告物保持具１は、小型及び軽量であるため、目立ちにくく、広告物Ｂを取付けなくても、違和感がない。
【００３３】
且つ、１組の広告物保持具１，１を連結したまま自動販売機Ａの上側角部外面と略対応する角度に折り曲げて固定するので、広告物Ｂの取付け状態を維持するのに必要な固定力が安定して得られ、取付け状態を長期間維持することができる。
【００３４】
且つ、一体的に連結された対称形状の広告物保持具１，１を分離して使用するので、広告物保持具１の方向性が限定されず、左右共通した部品であるため、取付け間違いが起きたりせず、一方の広告物保持具１を取替えるときに便利である。
【００３５】
且つ、初回の取付け時において、広告物保持具１，１を予め定められた位置及び間隔に隔てて固定しておくので、広告物Ｂの取付け位置がズレたり、傾いたり、変位したりせず、広告物Ｂを所定の取付け場所に対して正確且つ確実に取付けることができる。
【００３６】
図９は、ボトル型を有する立体的広告物Ｃの取付け例を示し、広告物Ｃの両端部を、自動販売機Ａ前面（及び展示部Ａｃ内部）に固定した広告物保持具１，１を構成する保持具本体２及び係止部３の間に夫々差込み、係止部３の突起３ａを、広告物Ｃの孔部Ｃａに係止固定するので、広告物Ｃを簡単且つ容易に取付けることができ、上述の実施例と略同等の作用及び効果を奏することができる。
【００３７】
図１０は、上述の広告物保持具１，１を、広告物Ｂ端部の孔部Ｂａ…と略対向する間隔に隔てて一体的に連結した他の例を示し、上述と同様にして、広告物Ｂの両端部を、自動販売機Ａ前面（及び展示部Ａｃ内部）に固定した広告物保持具１，１に係止固定するので、広告物Ｂ（及び広告物Ｃ）を簡単且つ容易に取り付けることができ、上述の実施例と略同等の作用及び効果を奏することができる。
【００３８】
図１１は、上述の広告物保持具１，１を、広告物Ｂ端部に形成した孔部Ｂａ…と略対向する間隔に伸縮調節自在に連結したその他の例を示し、一方の広告物保持具１を、他方の広告物保持具１に形成したガイド部６に沿ってスライドさせ、保持具本体２内部に保持した球体７を、コイルスプリング８の付勢力に抗して、ガイド部６に形成した歯部６ａ…に係止し、広告物保持具１，１を、広告物Ｂの孔部Ｂａ…と略対向する間隔に調節するので、上述と同様にして、広告物Ｂ（及び広告物Ｃ）を、自動販売機Ａ前面（及び展示部Ａｃ内部）に取り付けることができ、上述の実施例と略同等の作用及び効果を奏することができる。また、球体７の代わりに、例えばラチェット機構やカム機構等の規制手段で伸縮調節することもできる。
【００３９】
図１２は、広告物Ｂ端部に形成した凸部Ｂｃを、保持具本体２の係止部３に形成した凹部３ｂに係止する広告物保持具１の他の係止構造を示し、広告物Ｂの端部を、自動販売機Ａ前面及び（及び展示部Ａｃ内部）に固定した広告物保持具１を構成する保持具本体２及び係止部３の間に差込み、広告物Ｂの凸部Ｂｃを、係止部３の凹部３ｂに係止固定するので、広告物Ｂ（及び広告物Ｃ）を簡単且つ容易に取付けることができ、上述の実施例と略同等の作用及び効果を奏することができる。
【００４０】
図１３は、広告部Ｂを、その広告物Ｂと略対応する長さに形成した広告物保持具１で保持するその他の例を示し、広告物Ｂの両端部を、自動販売機Ａ前面及び（及び展示部Ａｃ内部）に固定した保持具本体２の両端部及びその両端部に形成した係止部３の間に差込み固定するので、広告物Ｂ（及び広告物Ｃ）を簡単且つ容易に取付けることができ、上述の実施例と略同等の作用及び効果を奏することができる。
【図面の簡単な説明】
【図１】１組の広告物保持具を連結した状態及び折り曲げ状態を示す斜視図。
【図２】広告物保持具の係止構造及び連結構造を示す縦断正面図。
【図３】平面的広告物及び広告物保持具の係止構造を示す縦断側面図。
【図４】平面的広告物及び広告物保持具の係止方法を示す正面図。
【図５】広告物保持具を自動販売機の上側角部に固定した状態を示す斜視図。
【図６】平面的広告物の取付け状態を示す斜視図。
【図７】他の広告物の取付け方法を示す斜視図。
【図８】１組の広告物保持具の分離方法を示す平面図。
【図９】立体的広告物の取付け状態を示す正面図。
【図１０】広告物保持具を所定間隔に連結した他の例を示す正面図。
【図１１】広告物保持具を伸縮調節するその他の例を示す正面図。
【図１２】広告物保持具の他の係止構造を示す縦断側面図。
【図１３】長尺サイズの広告物保持具によるその他の例を示す斜視図。
【符号の説明】
Ａ…自動販売機
Ｂ，Ｃ…広告物
Ｂａ，Ｃａ…孔部
Ｂｃ…凸部
１…広告物保持具
２…保持具本体
３…係止部
３ａ…突起
３ｂ…凹部
４…連結部
５…両面粘着テープ
【図１】
2004192095.tif 000003
【図２】
2004192095.tif 000004
【図３】
2004192095.tif 000005
【図４】
2004192095.tif 000006
【図５】
2004192095.tif 000007
【図６】
2004192095.tif 000008
【図７】
2004192095.tif 000009
【図８】
2004192095.tif 000010
【図９】
2004192095.tif 000011
【図１０】
2004192095.tif 000012
【図１１】
2004192095.tif 000013
【図１２】
2004192095.tif 000014
【図１３】
2004192095.tif 000015